(57)【要約】【課題】ブックタイプの収納用ケースの防塵性、防水性及び耐衝撃性を向上させる。【解決手段】  収納ケース１は、カートリッジ３０１を収納するカートリッジ収納部２を備えたケース本体部３と、ケース本体部３に背面部４を介して開閉回動可能に薄肉のヒンジ部５により連結された蓋部６と、を備えている。蓋部６は、外周壁７を備えている。外周壁７の先端部７ａは、円弧状に、かつ弾性変形可能に形成されている。一方、ケース本体部３は、主面３ａの内面に前記外周壁７の先端部７ａが係合する凹溝８を備えている。前記凹溝８は、断面円弧状に形成されている。蓋部６を閉じると、前記外周壁７の先端部７ａが前記凹溝８内に嵌合し、該凹溝８の内面に沿って弾性変形して、前記外周壁７の先端部７ａと前記ケース本体部３の主面３ａの間を封止する。【選択図】図２
2006062736.tif 000002
【特許請求の範囲】
【請求項１】
ケース本体部と、該ケース本体部に薄肉のヒンジ部を介して開閉回動可能に連結された蓋部と、を備え、
前記ケース本体部と蓋部のいずれか一方の主面の内面に、ケースの外側面を構成する外周壁を設け、該外周壁の先端部を、弾性変形可能に形成し、他方の主面の内面に、閉蓋時において前記外周壁の先端部を内面に沿って弾性変形させる断面円弧状の凹溝を設けたことを特徴とするカートリッジ用収納ケース。
【請求項２】
請求項１に記載のカートリッジ用収納ケースにおいて、
前記外周壁の付け根部分は、前記先端部の肉厚よりも厚肉に形成されていることを特徴とするカートリッジ用収納ケース。
【請求項３】
請求項１に記載のカートリッジ用収納ケースにおいて、
前記ケース本体部は、前記外周壁の内側に重なる内周壁を備え、該内周壁の先端部を断面略円弧状に形成し、前記蓋部は、主面の内面に閉蓋時において前記内周壁の断面略円弧状の先端部が係合する断面略Ｖ字状の凹溝を備えていることを特徴とするカートリッジ用収納ケース。
【請求項４】
請求項１に記載のカートリッジ用収納ケースにおいて、
前記内周壁の内側がカートリッジ収納部になっていることを特徴とするカートリッジ用収納ケース。
【請求項５】
請求項１に記載のカートリッジ用収納ケースにおいて、
カートリッジ収納部を挟んで対向するケース本体部の主面の内面と蓋部の主面の内面に、記録媒体カートリッジの上下面を挟着して保持するカートリッジ保持用の台座部を設けたことを特徴とするカートリッジ用収納ケース。
【請求項６】
請求項１に記載のカートリッジ用収納ケースにおいて、
前記外周壁の先端部を前記円弧状の凹溝内に圧着させ、前記内周壁の先端の円弧面を前記断面Ｖ字状の凹溝内に圧着させた状態で前記蓋部をケース本体部に係止する蓋ロック部材を備えていることを特徴とするカートリッジ用収納ケース。
【請求項７】
請求項１に記載のカートリッジ用収納ケースにおいて、
前記ケース本体部と蓋部は、比重が１以下の熱可塑性剛性樹脂で形成されていることを特徴とするカートリッジ用収納ケース。
【発明の詳細な説明】
【技術分野】
【０００１】
本発明は、情報記録媒体を収納するケースに関するものであり、特に収納した情報記録媒体を衝撃や塵埃或いは水滴等から確実に保護することのできる耐衝撃性や防塵性、防水性等に優れたカートリッジ用収納ケースに関するものある。
【背景技術】
【０００２】
情報記録媒体カートリッジを収納するケースとして、主にスリーブタイプのものとブックタイプのものが知られている。図１３に示すように、スリーブタイプのケース１０１は、スリーブ状、即ち鞘状に形成されていて、一端側の開口部１０２から情報記録媒体カートリッジ（図示省略）を出し入れするようになっている。（例えば、特許文献１参照）。
【０００３】
また、図１４に示すように、ブックタイプのケース２０１は、情報記録媒体カートリッジ２１１を収納するケース本体部２０２と、該ケース本体部２０２の上端の開口部２０２ａを開閉する蓋部２０３と、前記ケース本体部２０２に蓋部２０３を回動開閉可能に連結しているヒンジ部２０４と、を備えている。そして、前記ケース本体部２０２内に情報記録媒体カートリッジとしてのテープカートリッジ２１１を収納した後に開口部２０２ａを蓋部２０３で塞ぐようになっている。２０５は、テープカートリッジ２１１のテープリールに設けられた軸孔２１２に挿入される凸部である。（例えば、特許文献２参照）。
【特許文献１】特開２０００−３５５３８６号公報
【特許文献２】特開平０８−０７２９６１号公報
【発明の開示】
【発明が解決しようとする課題】
【０００４】
前記スリーブタイプのケース１０１は、主に情報記録媒体カートリッジとしてＭＤカートリッジ（ミニディスクカートリッジ）等の民生用（コンシューマー）のディスクカートリッジを収納するのに使用され、収納されたディスクカートリッジが過酷な条件下使用されるといった所謂プロユースを意識したものではないことより、ケースの防塵性或いは強靭性といった点に関しては十分な配慮がなされているとはいえない。
【０００５】
一方、前記ブックタイプのケース２０１は、専ら情報記録媒体カートリッジとしてテープカートリッジを収納するのに使用される。前記ブックタイプのケース２０１は、ケース本体部２０２の開口部２０２ａを蓋部２０３で塞ぐようになっているので、開口部が開放された侭の状態のスリーブタイプのケース１０１よりも防塵性が優れている。
【０００６】
しかし、前記ブックタイプのケース２０１は、カートリッジの厚みが比較的厚いテープカートリッジを収納することを目的に開発されたものであって、カートリッジに収納されているテープ媒体もリールに巻き回されていることより、それほど大きな外圧に耐えることも要求されない。
【０００７】
従って、前記ブックタイプのケース２０１を収納しようとするディスクカートリッジに見合う大きさに形成することによりディスクカートリッジの収納に使用することも可能であるが、前記ディスクカートリッジが、最近のブロードバンド時代に対応し、音楽等の音声信号に加えて画像情報といった大量のディジタル信号を高密度に記録することのできるものである場合には、記録媒体の信頼性を確保することが要求される。しかし、従来のブックタイプのケース２０１は、必ずしも防塵性、防水性或いは外部からの衝撃に対する強度は十分ではなく、高密度に記録のディスクカートリッジを収納するためには、より一層、防塵性や防水性或いは衝撃に対する強度を向上させなければならないという課題があった。
【０００８】
本発明の目的は、塵埃等の侵入を従来のケースよりも、より確実に防止できる防塵性、防水性に優れたカートリッジ用収納ケースを提供することにある。
【０００９】
本発明の他の目的は、落下等により強い衝撃が掛かった場合でも、収納されているカートリッジが破損したりするのを従来のケースよりも、より確実に防止できる耐衝撃性に優れたカートリッジ用収納ケースを提供することにある。
【課題を解決するための手段】
【００１０】
請求項１の発明は、ケース本体部と、該ケース本体部に薄肉のヒンジ部を介して開閉回動可能に連結された蓋部と、を備えたカートリッジ用収納ケースにおいて、
前記ケース本体部と蓋部のいずれか一方の主面の内面に、ケースの外側面を構成する外周壁を設け、該外周壁の先端部を、弾性を有する断面円弧状に形成し、他方の主面の内面に、閉蓋時において前記外周壁の先端部をその内面に沿って弾性変形させる断面円弧状の凹溝を設けた。
【００１１】
請求項２の発明は、請求項１に記載のカートリッジ用収納ケースにおいて、
前記外周壁の付け根部分を、前記先端部の肉厚よりも厚肉に形成した。
【００１２】
請求項３の発明は、請求項１に記載のカートリッジ用収納ケースにおいて、
前記ケース本体部に、前記外周壁の内側に重なる内周壁を設け、該内周壁の先端部を断面略円弧状に形成し、前記蓋部の主面の内面には、閉蓋時において前記内周壁の先端部が係合する断面略Ｖ字状の凹溝を形成した。
【００１３】
請求項４の発明は、請求項１に記載のカートリッジ用収納ケースにおいて、
前記内周壁の内側をカートリッジ収納部にした。
【００１４】
請求項５の発明は、請求項１に記載のカートリッジ用収納ケースにおいて、
カートリッジ収納部を挟んで対向するケース本体部の主面の内面と蓋部の主面の内面に、記録媒体カートリッジの上下面を挟着して保持するカートリッジ保持用の台座部を設けた。
【００１５】
請求項６の発明は、請求項１に記載のカートリッジ用収納ケースにおいて、
前記外周壁の先端部を前記円弧状の凹溝に圧着させ、前記内周壁の先端の円弧面を前記断面略Ｖ字状の凹溝に圧着させた状態で、前記蓋部をケース本体部に係止する蓋ロック部材を設けた。
【００１６】
請求項７の発明は、請求項１に記載のカートリッジ用収納ケースにおいて、
前記ケース本体部と蓋部を、比重が１以下の熱可塑性剛性樹脂で形成した。
【発明の効果】
【００１７】
（１）請求項１のカートリッジ用収納ケースは、蓋部を閉じてケース本体部側に圧着させると、前記外周壁の先端部が、前記円弧状の凹溝内に係合し、該凹溝の内面に沿って弾性変形して、蓋部とケース本体部の接触部を密着させて、カートリッジ用収納ケースの防塵性および防水性を向上させる。
（２）請求項２のカートリッジ用収納ケースは、前記外周壁の付け根部分を厚肉に形成したので、蓋部を閉じてケース本体部側に圧着させた場合に、前記外周壁の付け根部分を変形させずに、前記外周壁の円弧状の先端部を確実に前記円弧状の凹溝に沿って変形させることができる。
（３）請求項３のカートリッジ用収納ケースは、前記内周壁の先端部を断面略円弧状に形成し、前記内周壁の先端部が接触する蓋部の主面の内面に、断面略Ｖ字状の凹溝を形成したので、前記内周壁の先端部は、前記断面略Ｖ字状の凹溝の内面に２点において線接触して両者間の密閉性を向上させることができる。
（４）請求項４のカートリッジ用収納ケースは、前記外周壁の内側に位置する内周壁の更に内側にカートリッジ収納部を形成したので、ケースの外周面側からの衝撃に対して、前記カートリッジ収納部に収納されている記録媒体カートリッジを保護する。
（５）請求項５のカートリッジ用収納ケースは、記録媒体カートリッジは、ケース本体部の主面の内面と蓋部の主面の内面に設けたカートリッジ保持用の台座部によって上下面を挟着された状態で保持され、前記台座部以外の個所においては、ケース本体部および蓋部の主面と記録媒体カートリッジの上下面は、非接触状態に保たれ、ケースの上下面側からの衝撃に対して記録媒体カートリッジを保護する。
（６）請求項６のカートリッジ用収納ケースは、蓋ロック部材により、前記外周壁の先端部を前記円弧状の凹溝内に圧着させ、前記内周壁の先端の円弧面を前記断面略Ｖ字状の凹溝内に圧着させた状態で、蓋部をケース本体部にロックすることができる。
（７）請求項７のカートリッジ用収納ケースは、ケース本体部と蓋部を含む全体を、比重が１以下の熱可塑性剛性樹脂で形成したので、誤って水中に落下したような場合でも浮力を確保して、水中に沈むのを防止することができる。
【発明を実施するための最良の形態】
【００１８】
図１は、情報記録媒体カートリッジ３０１を収納するカートリッジ用収納ケース（以下、単に収納ケースと称する）1の閉蓋状態の斜視図、図２は開蓋状態の斜視図、図３は開蓋状態の平面図である。収納ケース１について説明する前に、収納ケース１に収納されるディスクカートリッジ３０１について簡単に説明する。図２に示すように、ディスクカートリッジ３０１は、情報記録媒体としての光磁気ディスク３０２を回転自在に収納することにより構成されている。ディスクカートリッジ３０１は、ドライブ装置への挿入方向の前端面３０１ａが円弧状面に形成され、左右の側面３０１ｂ、３０１ｃ及び後端面３０１ｄが平坦面に形成され、該後端面３０１ｄの両側部は傾斜面３０１ｅ，３０１ｆに形成されている
収納ケース１は、ディスクカートリッジ３０１を収納するカートリッジ収納部２を備えたケース本体部３と、該ケース本体部３に背面部４を介して薄肉のヒンジ部５によって開閉自在に連結された蓋部６と、を備えている。
【００１９】
前記蓋部６は、略四角形状の主面６ａの内面に、ケースの外側面を構成する外周壁７を備えている。前記外周壁７は、平面視略コ字状に形成されている。
【００２０】
図４に示すように、前記外周壁７の先端部７ａは、円弧状に、かつ弾性変形可能に形成されている。一方、図２に示すように、ケース本体部３は、主面３ａの内面に前記外周壁７の先端部７ａが係合する凹溝８を備えている。前記凹溝８は、図５に示すように、断面略円弧状に形成されている。そして、蓋部６を閉じると、図６に示すように、前記外周壁７の先端部７ａが前記凹溝８内に嵌合して該凹溝８の内面に沿って弾性変形して、前記外周壁７の先端部７ａと前記ケース本体部３の主面３ａの間を封止するようになっている。前記外周壁７は、先端部７ａから蓋部６の主面６ａに向かって徐々に肉厚が厚くになっていて、蓋部６を閉じた際に前記外周壁７の付け根部分７ｂは変形せずに（撓まずに）前記先端部７ａのみが前記断面円弧状の凹溝８に沿って変形するようになっている。
【００２１】
前記先端部７ａが前記断面円弧状の凹溝８に沿って変形し易くするために、図７に示すように、前記先端部７ａにスリット７ｃで薄肉部７ｄを形成しても良い。また、図８に示すように、前記先端部７ａを、シート状に形成して円弧状に湾曲させて形成しても良い。前記凹溝８は、ケース本体部３の主面部３ａの周縁部に沿って前記外周壁７と同様に平面視略コ字状に形成されている。
【００２２】
図６に示すように、前記ケース本体部３は、蓋部６を閉じたときに前記外周壁７の内側に重なる内周壁９を、前記凹溝８の内側に備えている。また、前記蓋部６は、主面部６ａの内面に前記内周壁９の先端部９ａが嵌合する凹溝１０を備えている。
【００２３】
図９に拡大して示すように、前記内周壁９の先端部９ａは断面円弧面に形成され、該内周壁９の先端部９ａが嵌合する凹溝１０は、断面略Ｖ字状に形成されていて、蓋部６を閉じたときに、前記内周壁９の円弧状の先端部９ａは、前記断面略Ｖ字状の凹溝１０の内面にＰ１，Ｐ２の２点において線接触して両者間の密閉性を向上させる。
【００２４】
図２、図３に示すように、前記内周壁９は、前記主面部３ａの四辺に沿って設けられた第１〜第４側壁９ａ〜９ｄによって平面視略四角形状に形成されていて、該内周壁９の内側がカートリッジ収納部２になっている。前記第１側壁９ａと前記背面部４との間には隙間Ｇが設定されている。
【００２５】
前記内周壁９の高さＨ１は、前記ディスクカートリッジ３０１の厚さＴの１．５〜２倍程度の高さで、且つ前記背面部５の高さＨ２と略同じ高さに形成されている。
【００２６】
前記内周壁９の前記第１の側壁９ａと第２の側壁９ｂが連続する角部には第１のカートリッジ位置決め突起１１が設けられ、第２の側壁１１ｂと第３の側壁１１ｃが連続する角部には第２のカートリッジ位置決め突起１２が設けられている。これら第１，第２のカートリッジ位置決め突起１１，１２は、前記内周壁１１内にディスクカートリッジ３０１を収納した場合に該ディスクカートリッジ３０１の前端面３０１ａの左右両側部が接するようになっている。
【００２７】
また、第３の側壁９ｃと第４の側壁９ｄの角部には第３のカートリッジ位置決め突起１３が設けられ、第４の側壁９ｄと第１の側壁９ａの角部には第４のカートリッジ位置決め突起１４が設けられている。これら第３，第４のカートリッジ位置決め突起１３，１４は、前記ディスクカートリッジ３０１の後端面３０１ｄの左右両側部の傾斜面３０１ｅ，３０１ｆが接するようになっている。
【００２８】
そして、前記内周壁９の内側、即ちカートリッジ収納部２内にディスクカートリッジ３０１を収納すると、前記第１〜第４のカートリッジ位置決め突起１１〜１４で前記ディスクカートリッジ３０１はカートリッジ収納部２内に位置決めされるようになっている。また、前記第１の突起１１と第２の突起１２の間にはカートリッジ抜け止め突起１５が設けられている。
【００２９】
図１０に示すように、前記カートリッジ抜け止め突起１５は、上端部に庇状の係合部１６を備えている。前記カートリッジ抜け止め突起１５は、上半部１５ａを薄肉にすることにより可撓性（弾性）を持たせた状態に形成されている。前記庇状の係合部１６の上面１６ａは、下り勾配の傾斜面に形成されていて、ディスクカートリッジ３０１の収納時に該ディスクカートリッジ３０１の下面で前記上面１６ａが押されると前記カートリッジ抜け止め突起１５は矢印ａで示す逃げ方向に撓んでディスクカートリッジ３０１の収納を容易にし、ディスクカートリッジ３０１が前記庇状の係合部１６の位置を通過してディスクカートリッジ３０１が完全に収納された状態になると前記庇状の係合部１６が元の位置に復帰して収納するディスクカートリッジ３０１の上面を押さえてディスクカートリッジ３０１がカートリッジ収納部から抜け出るのを防止する。また、前記庇状の係合部１６の下面１６ｂは、上り勾配の傾斜面に形成されていて、ディスクカートリッジ３０１の取り出す際に該ディスクカートリッジ３０１の上面で前記下面１６ｂが押されると前記カートリッジ抜け止め突起１５は、矢印ａで示す逃げ方向に撓んでディスクカートリッジ３０１を容易に取り出すことができるようになっている。
【００３０】
図２、図３に示すように、前記ケース本体部３は、収納したディスクカートリッジ３０１の下面の周縁部を支持するケース本体部側のカートリッジ保持用の台座部２１…２１を主面部３ａ上に備えている。カートリッジ収納部２内に収納されたディスクカートリッジ３０１は、下面は周縁部が前記カートリッジ保持用の台座部２１…２１上に載置され、他の部分はケース本体部３の主面部３ａから離間（浮上）した状態になる。
【００３１】
また、前記蓋部６は、前記ケース本体部側のカートリッジ保持用の台座部２１…２１と対向する位置にディスクカートリッジ３０１の上面の周縁部を押さえる蓋部側のカートリッジ保持用の台座部２２…２２を主面部６ａ上に備えている。
【００３２】
図２に示すように、前記ケース本体部３は、前記蓋部６をケース本体部３に係止する蓋ロック部材３１を備えている。前記蓋ロック部材３１は、前記ケース本体部３の主面３ａに薄肉のヒンジ部３２を介して一体に形成されている。前記蓋ロック部材３１は、前記蓋部６を閉じた状態において該蓋部６の外周壁７の外側面に重なる側面重合部３３と、該側面重合部３３の先端部に連接されていて前記該蓋部６の主面６ａの外面に重なる主面重合部３４と、で断面略Ｌ字状に形成されている。
【００３３】
前記蓋ロック部材３１は、前記側面重合部３３の内面に、前記蓋部６の外周壁７の外面に設けた第１の係合部３７に係合する第１の被係合部３８を備え、前記主面重合部３４の内面に、前記蓋部６の主面６ａの外面に設けた第２の係合部３５に係合する第２の被係合部３６を備えている。
前記蓋ロック部材３１は、図１１に示すように、前記外周壁７の先端部７ａを前記円弧状の凹溝８内に圧着させ、前記内周壁９の円弧状の先端部９ａを前記断面略Ｖ字状の凹溝１０内に圧着させた状態で前記蓋部６をケース本体部３に係止する。
【００３４】
図１２に拡大して示すように、前記第１の被係合部３８は、前記側面重合部３３の内面に凹部を設けることにより形成され、前記第１の係合部３７は、前記蓋部６の外周壁７の外面に前記第１の被係合部３８に係合する凸部を設けることにより形成されている。また、前記第２の被係合部３６は、前記主面重合部３４の内面に凸部を設けることにより形成され、前記第２の係合部３５は、前記蓋部６の主面６ａの外面に前記第２の被係合部３６に嵌り込む凹部を設けることにより形成されている。そして、蓋部６を閉じた後に前記蓋ロック部材３１の側面重合部３３を前記蓋部６の外周壁７の外面に重ねると前記側面重合部３３の内面に設けた第１の被係合部３８が前記蓋部６の外周壁７の外面に設けた第１の係合部３７に係合して前記側面重合部３３は、前記蓋部６の外周壁７の外面に係止された状態になる。また、前記側面重合部３３を前記蓋部６の外周壁７の外面に重ねると、前記主面重合部３４は、前記蓋部６の主面６ａの外面に自動的に重なった状態になって前記主面重合部３４の内面に設けた第２の被係合部３６が前記蓋部６の主面６ａの外面に設けた第２の係合部３５に係合して前記主面重合部３３は、前記蓋部６の主面６ａの外面に係止された状態になる。なお、前記蓋部６の主面６ａの外面にはロック解除用の凹部３９が設けられていて、該ロック解除用の凹部３９により指先Ｆを前記主面重合部３４の先端部の指掛け部３４ａに掛けることに前記蓋ロック部材３１のロックの解除を容易に行うことができるようになっている。なお、カートリッジ用収納ケース１は、ケース本体部と蓋部を含む全体が比重１以下の熱可塑性剛性樹脂によって一体的に形成されている。
【００３５】
次に、カートリッジ用収納ケース１の作用について説明する。図２に示すように、カートリッジ用収納ケース１を展開（全開）した状態で、カートリッジ収納部２にディスクカートリッジ３０１を収納する。収納に際してはディスクカートリッジ３０１の後端面３０１ｂ側をやや下方に向けて傾斜させた状態で、該後端面３０１ｂを前記第３，第４のカートリッジ位置決め突起１３，１４の内面に当接させると共に、前記後端面３０１ｂの下面を前記ケース本体部側のカートリッジ保持用の台座部２１…２１に載置する。
【００３６】
次に、ディスクカートリッジ３０１の前端面３０１ａ側をカートリッジ収納部２に向けて下降させれば、ディスクカートリッジ３０１の前端面３０１ａの下部で前記カートリッジ抜け止め突起１５の庇状の係合部１６の上面１６ａが押圧され、該カートリッジ抜け止め突起１５が逃げ移動する。そして、ディスクカートリッジ３０１の前端面３０１ａと前記庇状の係合部１６の係合が外れると、前記カートリッジ抜け止め突起１５は、弾性復帰して前記係合部１６がディスクカートリッジ３０１の上面側に位置してディスクカートリッジ３０１がカートリッジ収納部２から抜け出るのを阻止する。
【００３７】
次に、蓋部６をケース本体部３上に被せるように回動させると、図６、図１１に示すように、前記外周壁７の先端部７ａが前記凹溝８内に嵌合し、該凹溝８の内面に沿って弾性変形して、前記外周壁７の先端部７ａと前記ケース本体部３の主面３ａの間を封止すると共に、前記内周壁９の先端部９ａは、前記断面Ｖ字状の凹溝１０の内面にＰ１，Ｐ２の２点において線接触して両者間を封止する。一方、ディスクカートリッジ３０１は、カートリッジ収納部２内において、ケース本体部３側のカートリッジ保持用の台座部２１と、蓋部６側のカートリッジ保持用の台座部２２とにより上下面の周縁部を挟着、保持される。そして、前記蓋部６は、ロック部材３１によってケース本体部３にロックされる。なお、上記実施例では、蓋部６に外周壁７を設けた場合を示したが、外周壁７は、ケース本体部３側に設けても良い。
【図面の簡単な説明】
【００３８】
【図１】蓋部を閉じた状態の斜視図。
【図２】蓋部を開いた状態の斜視図。
【図３】蓋部を開いた状態の平面図。
【図４】図２のＡ−Ａ断面図。
【図５】図２のＢ−Ｂ断面図。
【図６】蓋部を閉じた状態の断面図。
【図７】外周壁の先端部の第１の変形例の断面図。
【図８】外周壁の先端部の第１の変形例の断面図。
【図９】内周壁の先端部と断面略Ｖ字状の凹溝の係合状態を示す断面図。
【図１０】カートリッジ抜け止め突起の作用を示す断面図。
【図１１】図１のＣ−Ｃ断面図。
【図１２】図１１の要部の拡大図。
【図１３】従来例の斜視図。
【図１４】他の従来例の斜視図。
【符号の説明】
【００３９】
１…カートリッジ用収納ケース、２…カートリッジ収納部、３…ケース本体部、３ａ…主面部、４…背面部、５…ヒンジ部、６…蓋部、６ａ…主面部、７…外周壁、７ａ…円弧状の先端部、７ｂ…付け根部分、８…円弧状の先端部が係合する凹溝、９…内周壁、９ａ…内周壁の先端部、１０…内周壁の先端部が係合する断面略Ｖ字状の凹溝、２１，２２…カートリッジ保持用の台座部、３１…蓋ロック部材。
【図１】
2006062736.tif 000003
【図２】
2006062736.tif 000004
【図３】
2006062736.tif 000005
【図４】
2006062736.tif 000006
【図５】
2006062736.tif 000007
【図６】
2006062736.tif 000008
【図７】
2006062736.tif 000009
【図８】
2006062736.tif 000010
【図９】
2006062736.tif 000011
【図１０】
2006062736.tif 000012
【図１１】
2006062736.tif 000013
【図１２】
2006062736.tif 000014
【図１３】
2006062736.tif 000015
【図１４】
2006062736.tif 000016